(57)【特許請求の範囲】
【請求項１】
長さ方向に弾性を有する梁材、梁材の嵌挿孔を設けた脚材、及び脚材の配置規制部材より成り、前記配置規制部材は、先端に係止具を有する同一長の紐体をリングから放射線状に取り付け、この先端の係止具が前記脚材と着脱可能であること、前記脚材が前記配置規制部材の係止具と連結することより、前記脚材が仮想円上に配置されると共に、仮想円の遠心方向へ突出しないように規制されること、弾性を有する梁材を対向する脚材の嵌挿孔に弓なりに渡設して両端を挿通し、各梁材が仮想円の中心上で交差してドーム状の骨組を形成したことを特徴とするドーム型テントの骨組構造。
【請求項２】
長さ方向に弾性を有する梁材、梁材の嵌挿孔を設けた脚材、及び脚材の配置規制部材より成り、前記配置規制部材は、先端に係止具を有する同一長の紐体をリングから放射線状に取り付け、この先端の係止具が前記脚材と着脱可能であること、前記脚材が前記配置規制部材の係止具と連結することより、前記脚材が仮想円上に配置されると共に、仮想円の遠心方向へ突出しないように規制されること、弾性を有する梁材を一の脚材から対向する脚材の両隣の各脚材の嵌挿孔に弓なりに渡設して両端を挿通し、各梁材が仮想円の中心部を外れてドーム状の骨組を形成したことを特徴とするドーム型テントの骨組構造。
【請求項３】
脚材の配置規制部材が、無端状の紐体であって、脚材の配置に応じた係止手段が配設してあることを特徴とする請求項１又は２に記載のドーム型テントの骨組構造。
【請求項４】
脚材の配置規制部材が、床兼用シートであって、周囲近傍に脚材の配置に応じた係止手段が配設してあることを特徴とする請求項１乃至３のいずれかに記載のドーム型テントの骨組構造。
【請求項５】
脚材の下部又は下端面が先鋭に形成され、土中へ打ち込み易くしてあることを特徴とする請求項１乃至４のいずれかに記載のドーム型テントの骨組構造。
【発明の詳細な説明】
【技術分野】
【０００１】
本発明は野営用のテント、又は農園芸用のハウスにも利用可能なドーム型テントの骨組構造に関するものである。
【背景技術】
【０００２】
従来、組み立て、解体が極めて容易で、かつ強度が大きくて、しかも各部材をコンパクトに纏めることができ、軽量であり、運搬も容易なドーム形の簡易テントを目的とするものがある。
【０００３】
例えば、特開平５‐１１３０５９号公報では、複数個の基体部材を展開して円形状あるいは多角形状に形成し得るこれら各基体部材の各端部に設け枢着部を介してこれら基体部材を互いに連結するとともに、複数個の弯曲状骨組部材の各上端部を一箇所に締着、弛緩自在に枢着し、かつこれら各弯曲状骨組部材の各下端部を、円形状あるいは多角形状に展開状態とした複数個の各基体部材の複数箇所に適宜間隔をもって各弯曲状骨組部材がドーム状を形成する如く着脱自在に固着し、さらに複数個の弯曲状骨組部材の上方部所定位置に、各弯曲状骨粗部材の間隔規制および補強兼用の固定手段を設けた構成が開示されている。
【０００４】
また、特開２００８‐４５３１３号公報では、頂点部から四方に延びるポールが前記頂点部から離間するに従い下方に湾曲してなるドーム型のフレームと、前記フレームに張設されるシートとを備え、前記フレームに沿って前記シートを張ることにより、前記シート内に室内空間が形成されるドーム型テントにおいて、フレームの頂点部にて、ポールの一端が十字状のジョイントに接続されて直交状態に連結された構成が開示されている。
【先行技術文献】
【特許文献】
【０００５】
【特許文献１】特開平５‐１１３０５９号公報
【特許文献２】特開２００８‐４５３１３号公報
【発明の概要】
【発明が解決しようとする課題】
【０００６】
そこで、本発明は上記従来のドーム型テントに鑑みて、くい打ち等やボルト・ナットの締着等の工作や工具の使用を要せずに、しかも容易に組み立てることが可能であり、組み立てた後の移動も簡単に行なえるドーム型テント、又は農園芸用のハウスにも利用可能な骨組構造を提供せんとするものである。
【課題を解決するための手段】
【０００７】
本発明に係る請求項１のドーム型テントの骨組構造は、長さ方向に弾性を有する梁材、梁材の嵌挿孔を設けた脚材、及び脚材の配置規制部材より成り、前記配置規制部材は、先端に係止具を有する同一長の紐体をリングから放射線状に取り付け、この先端の係止具が前記脚材と着脱可能であること、前記脚材が前記配置規制部材の係止具と連結することより、前記脚材が仮想円上に配置されると共に、仮想円の遠心方向へ突出しないように規制されること、弾性を有する梁材を対向する脚材の嵌挿孔に弓なりに渡設して両端を挿通し、各梁材が仮想円の中心上で交差してドーム状の骨組を形成したことを特徴とするものである。
【０００８】
請求項２の発明のドーム型テントの骨組構造は、長さ方向に弾性を有する梁材、梁材の嵌挿孔を設けた脚材、及び脚材の配置規制部材より成り、前記配置規制部材は、先端に係止具を有する同一長の紐体をリングから放射線状に取り付け、この先端の係止具が前記脚材と着脱可能であること、前記脚材が前記配置規制部材の係止具と連結することより、前記脚材が仮想円上に配置されると共に、仮想円の遠心方向へ突出しないように規制されること、弾性を有する梁材を一の脚材から対向する脚材の両隣の各脚材の嵌挿孔に弓なりに渡設して両端を挿通し、各梁材が仮想円の中心部を外れてドーム状の骨組を形成したことを特徴とするものである。
【０００９】
請求項３の発明のドーム型テントの骨組構造は、請求項１又は２に記載の発明において、脚材の配置規制部材が、無端状の紐体であって、脚材の配置に応じた係止手段が配設してあることを特徴とするものである。
【００１０】
請求項４の発明のドーム型テントの骨組構造は、請求項１乃至３のいずれかに記載の発明において、脚材の配置規制部材が、床兼用シートであって、周囲近傍に脚材の配置に応じた係止手段が配設してあることを特徴とするものである。
【００１１】
請求項５の発明のドーム型テントの骨組構造は、請求項１乃至４のいずれかに記載の発明において、脚材の下部又は下端面が先鋭に形成され、土中へ打ち込み易くしてあることを特徴とするものである。
【発明の効果】
【００１２】
請求項１の発明は、脚材を配置規制部材により仮想円上に等角度で配置し、弾性を有する梁材を対向する脚材の嵌挿孔に弓なりに渡設して両端を挿通することで、梁材の復元力と配置規制部材仮想円の遠心方向へ突出させない規制力が作用してドーム形状に梁材を渡設して行くことが出来、その形態も保持されるものであるから、簡単容易にドーム状の骨組を形成することができる効果を発揮する。
【００１３】
また、くい打ち等やボルト・ナットの締着等の工作や工具の使用を要せずに組み立てることが可能であり、移動も全体を押し引きするだけで簡単に行なえる効果を発揮する。
そして、各梁材が仮想円の中心上で交差して美麗なドーム状の骨組を形成すると共に、同一の条件で弓なりに渡設されているため、安定した形状と成る効果を有し、４本以上の偶数の梁材数として脚材を等角度で配置すれば、正多角形のドームを容易に形成できるものとなる。
【００１４】
さらに、脚材の配置規制部材が、先端に係止具を有する同一長の紐体をリングから放射線状に取り付け、先端の係止具が脚材と着脱可能であるから、先端の係止具と脚材を連結することで容易に仮想円上に脚材を配置することができる効果を有する。
【００１５】
請求項２の発明は、一の脚材から対向する脚材の両隣の各脚材へ梁材を弓なりに渡設し、各梁材が仮想円の中心部から外れて渡設してドーム状の骨組を形成したため、中心部に開口部を形成することができ、この開口部を利用して煙突等の空調器具を設置できる効果を有する。
【００１６】
請求項３の発明は、請求項１又は２に記載の効果に加えて、脚材の配置規制部材が、無端状の紐体であって、脚材の配置に応じた係止手段が配設してあるため、係止手段と脚材を連結することで容易に仮想円上に脚材を配置することができる効果を有するものである。
【００１７】
請求項４の発明は、請求項１乃至３のいずれかに記載の効果に加えて、脚材の配置規制部材が、床兼用シートであって、周囲近傍に脚材の配置に応じた係止手段が配設してあるため、係止手段と脚材を連結することで容易に仮想円上に脚材を配置することができる効果を有し、同時にシートが張設された状態となって、テント内にシートを安定して敷設することができる効果も有する。
【００１８】
請求項５の発明は、請求項１乃至４のいずれかに記載の効果に加えて、脚材の下部又は下端面が先鋭に形成され、土中へ打ち込み易くしてあるため、脚材を土中に打ち込んで固定し、脚材の配置規制部材を取り外して除いても、形態の維持は可能であり、ドーム内の地面を活用して農園芸用のハウスにも利用できる効果を有する。
【図面の簡単な説明】
【００１９】
【図１】本発明に係るドーム型テントの骨組構造の一実施の形態を示す斜視図である。
【図２】図１の脚材を配置した状態を示す斜視図である。
【図３】脚材の一実施の形態を示す斜視図である。
【図４】配置規制部材の一実施の形態を示す要部斜視図である。
【図５】配置規制部材の他の実施の形態を示す斜視図である。
【図６】梁材の渡設の一実施の形態を示す簡略化した平面図である。
【図７】梁材の渡設の他の実施の形態を示す簡略化した平面図である。
【図８】シート兼用の配置規制部材の他の実施の形態を示す斜視図である。
【発明を実施するための形態】
【００２０】
本発明の一実施の形態を図面に基づいて説明する。
図１は本発明に係るドーム型テントの骨組構造の一実施の形態を示す斜視図であり、長さ方向に弾性を有する梁材２、梁材２の嵌挿孔１１を設けた脚材１及び脚材１の配置規制部材３より成り、脚材１が配置規制部材３により、仮想円上に配置されると共に、仮想円の遠心方向へ突出しないように規制され、弾性を有する梁材２を対向する脚材１、１の嵌挿孔１１、１１に弓なりに渡設して両端を挿通し、各梁材２、２・・・が仮想円の中心上で交差してドーム状の骨組を形成している。
【００２１】
この実施態様において、脚材１は図３に示すように、短尺の円筒体で例えば合成樹脂製で形成し、上下方向の中空部がそのまま梁材２の嵌挿孔１１と成る。
下部には環体１２を巻着し、一対向面の外側にフック１３、１４が突設してあり、内側位置となるフック１３は一の配置規制部材３と連係し、外側位置となるフック１４は被設するテント布を係止するものとなる。
また、フック１３、１４と９０度の角度となる面の一直線に貫通孔１５、１５が穿設してあり、他の配置規制部材３である無端状紐体３６が挿通するものとなる。
【００２２】
そして、脚材１は図１及び図２に示すように、二つの配置規制部材３、３（必ずしも両方が必要であるものではない。）によって、仮想円上に配置される。
即ち、図４に示す一の配置規制部材３は、中央のリング体３１から放射線状に同一長の紐体３２が配設してあり、先端に設けた係止環３３が前述のフック１３と係止して脚材１が配置されるものである。
図中３５は、紐状体３２をリング体３１と結着し、又は係止環３３を形成する圧着金具である。
【００２３】
さらに、図５に示す他の配置規制部材３である無端状紐体３６は、定間隔で可撓性のストッパー３７、３７・・が取り付けてある。
無端状紐体３６は、端部連結金具３８で無端状への形成を自在と成し、前記脚材１の貫通孔１５、１５を挿通し、ストッパー３７は貫通孔１５を変形させて通過するけれど、通常の状態では貫通孔１５に引っ掛かって無端状紐体３６に定間隔で配置されることになる。
【００２４】
長さ方向に弾性を有する梁材２は、例えば樹脂材や竹材で整形でき、仮想円上に配置された脚材１．１・・・の対向面に位置する脚材１、１間に両端部を、中空部の嵌挿孔１１、１１に弓なりに渡設して弧状を呈するに充分な長さを有している。
【００２５】
そして、各梁材２、２・・・が対向する脚材１、１に渡設すると、梁材２の復元力と配置規制部材３で脚材１を仮想円の遠心方向へ突出させない規制力とが調和してドーム形状に梁材２を渡設して行くことが出来る。
また、仮想円の中心上で各梁材２は交差して美麗なドーム状の骨組を形成すると共に、同一の条件で弓なりに渡設されているため、脚材１と共に安定した構成と成る（図６）。
【００２６】
図１及び図２では、２０個の脚材１と１０本の梁材２を使用する前提としているため、脚材間（梁材間）の間隔が狭くなって、出入り口６とする空間が窮屈となるため、脚材を一本間引きして該空間を拡げたため、対向する脚材１Ａと渡設する梁材２Ａは、本来と異なる隣の脚材１Ｂと関係している。
この場合、当該梁材２を使用せずに脚材１Ａのみ設置しておいても良く（図６参照）、また対向する脚材１Ａも除去してドーム状の骨組みを形成しても良い。
【００２７】
図７は梁材の渡設の他の方法である実施の形態を示す簡略化した平面図であり、一の脚材１から対向する脚材１の両隣の各脚材１、１へ梁材２、２を弓なりに渡設し、各梁材２，２が仮想円の中心部を外れて渡設してドーム状の骨組を形成したものである。
【００２８】
その結果、中心部に開口部４を形成することができ、この開口部４を利用して煙突等の空調器具を設置することができる。
また、この実施の形態においても、出入り口６を確保するため除いた脚材との間に渡設する予定であった梁材は使用していない。
【００２９】
図８は配置規制部材３の他の実施の形態を示す斜視図であり、シート５を兼用することが出来るものであり、円形のシート５の周囲近傍に、脚材１のフック１３を引っ掛けて連結できる鳩目５１、５１・・・を配設したものである。
シート５の鳩目５１に脚材１のフック１３を引っ掛けて係止し、容易に仮想円上に脚材を配置することができ、梁材２を対向する脚材１、１間に渡設することでシート５が張設されそのままテント内の床面に成ると共に、梁材２による復元力を規制するものとなる。
【００３０】
そして、上記の様に構成したドーム状の骨組みにフック１４を利用してテント布を被設することにより、必要により床面も形成することによって、ドーム型のテントを組み立てることができる。
そして、脚材１の配置規制部材３は上記に示した実施の形態例を単独で或いは複数のものを適宜組み合わせて用いることもできる。
【００３１】
又、土壌上に本ドーム型テントの骨組を組み立て、又は移動し、脚材１を土中に打ち込むと、脚材１の配置規制部材３を取り外して除いても、脚材１は土中に固定されているため骨組み形態の維持は可能であり、ビニールを被覆して農園芸用のハウスとしてドーム内の地面を利用することもできる。
脚材１の下部、又は下端面を先鋭に形成しておくことで、土中への打ち込みが容易となる。
【００３２】
以上のように、本発明を図面に基づいて説明した。
しかし、図面に記載した実施の形態における具体的構成は本発明の一例であり、同様の作用効果を得られる他の構成又は手段を排除するものではない。
【符号の説明】
【００３３】
１  脚材
２  梁材
３  配置規制部材
４  開口部
５  シート
６  出入り口
１１  嵌挿孔
１２  環体
１３、１４  フック  
１５  貫通孔
３１  リング体
３２  紐状体
３３  係止環
３６  無端状紐体
３７  ストッパー
５１  鳩目
【図１】
0005689438.tif 000002
【図２】
0005689438.tif 000003
【図３】
0005689438.tif 000004
【図４】
0005689438.tif 000005
【図５】
0005689438.tif 000006
【図６】
0005689438.tif 000007
【図７】
0005689438.tif 000008
【図８】
0005689438.tif 000009